(57)【要約】【課題】  利用者の利用パターンに適した学習機能付き給湯装置を提供する。【解決手段】  給湯熱源と、該給湯熱源から給湯される湯を給湯先に導く給湯の通路とを備え、給湯使用量データ検出部３７が、流量センサ７３，７４から得られる給湯流量の情報と時計機構から得られる時刻情報とに基づいて、１日の整数倍（１以上の整数倍）を周期とする設定周期ごとの時間軸上の各時刻に対する給湯使用量のデータを検出する。この検出データを給湯使用量関係データ学習記憶部３８が蓄積し、該蓄積データに基づいて設定周期ごとの時間軸上の時刻と給湯使用量との関係を関係データとして学習記憶するが、給湯使用量関係データ学習記憶部３８は、前記検出データが予め定められた許容範囲を越えて前記蓄積データと異なる場合には、その検出データを用いない。【選択図】        図１
2005241214.tif 000002
【特許請求の範囲】
【請求項１】
給湯熱源と、該給湯熱源から給湯される湯を給湯先に導く給湯の通路とを備え、１日の整数倍（１以上の整数倍）を周期とする設定周期ごとの時間軸上の各時刻に対する給湯使用量のデータを流量センサから得られる給湯流量の情報と時計機構から得られる時刻情報とに基づいて検出する給湯使用量データ検出部と、該給湯使用量データ検出部により検出した検出データを蓄積して該蓄積データに基づき前記設定周期ごとの時間軸上の時刻と給湯使用量との関係を関係データとして学習記憶する給湯使用量関係データ学習記憶部とを有する学習機能付き給湯装置において、前記学習記憶のための給湯使用量検出データの蓄積を阻止する給湯使用量データ蓄積阻止操作部を有し、該給湯使用量データ蓄積阻止操作部の操作が行われたときには、該操作に対応して設定されるデータ非蓄積期間は前記学習記憶のためのデータの蓄積を行わないことを特徴とする学習機能付き給湯装置。
【請求項２】
給湯熱源と、該給湯熱源から給湯される湯を給湯先に導く給湯の通路とを備え、１日の整数倍（１以上の整数倍）を周期とする設定周期ごとの時間軸上の各時刻に対する給湯使用量のデータを流量センサから得られる給湯流量の情報と時計機構から得られる時刻情報とに基づいて検出する給湯使用量データ検出部と、該給湯使用量データ検出部により検出した検出データを蓄積して該蓄積データに基づき前記設定周期ごとの時間軸上の時刻と給湯使用量との関係を関係データとして学習記憶する給湯使用量関係データ学習記憶部とを有する学習機能付き給湯装置において、前記給湯使用量関係データ学習記憶部は、前記給湯使用量データ検出部により検出した前記設定周期ごとの時間軸上の各時刻に対する給湯使用量の検出データが予め定められた許容範囲を越えて前記蓄積データと異なる場合には、その検出データを用いないことを特徴とする学習機能付き給湯装置。
【請求項３】
給湯使用量関係データ学習記憶部は、給湯使用量データ検出部により検出した設定周期ごとの時間軸上の各時刻に対する給湯使用量の検出データが予め定められた許容範囲を越えて蓄積データと異なる場合に、この検出データを特異の周期における時間軸上の時刻と給湯使用量との関係データとして特異データ格納部に格納することを特徴とする請求項２記載の学習機能付き給湯装置。
【請求項４】
給湯熱源から浴槽への給湯の通路に流量センサが設けられ、該流量センサから得られる給湯流量の情報と時計機構から得られる時刻情報とに基づいて設定周期ごとの時間軸上の各時刻に対する給湯使用量のデータが給湯使用量データ検出部により検出され、該検出データを給湯使用量関係データ学習記憶部が蓄積して設定周期ごとの時間軸上の時刻と給湯使用量との関係データを学習記憶する構成と成し、前記給湯使用量関係データ学習記憶部が学習記憶した関係データと浴槽の容量値とに基づいて前記設定周期の時間軸上の浴槽の湯張り開始時刻を推定検出する湯張り開始時刻検出部と、時計機構から得られる時刻情報を取り込んで前記湯張り開始時刻検出部により求めた湯張り開始時刻に給湯熱源から自動的に給湯して浴槽の湯張りを行う自動湯張り実行部とを有することを特徴とする請求項１または請求項２または請求項３記載の学習機能付き給湯装置。
【請求項５】
給湯熱源から浴槽への給湯の通路に流量センサが設けられ、該流量センサから得られる給湯流量の情報と時計機構から得られる時刻情報とに基づいて設定周期ごとの時間軸上の各時刻に対する給湯使用量のデータが給湯使用量データ検出部により検出され、該検出データを給湯使用量関係データ学習記憶部が蓄積して設定周期ごとの時間軸上の時刻と給湯使用量との関係データを学習記憶する構成と成し、前記給湯使用量関係データ学習記憶部が学習記憶した関係データと前記浴槽の容量値とに基づいて、前記設定周期の時間軸上の浴槽の湯張り開始時刻を推定検出して該湯張り開始時刻を通常時湯張り開始時刻として決定すると共に、特異データ格納部に格納した特異の周期における時間軸上の時刻と給湯使用量との関係データと前記浴槽の容量値とに基づいて、特異の周期の時間軸上の浴槽の湯張り開始時刻を推定検出して該湯張り開始時刻を特異時湯張り開始時刻として決定する湯張り開始時刻検出部と、時計機構から得られる時刻情報を取り込み、特異の周期の運転指示を行う特異運転指示操作部による操作時には前記特異時湯張り開始時刻に給湯熱源から自動的に給湯して浴槽の湯張りを行い、前記特異運転指示操作部による操作が行われない時には前記通常時湯張り開始時刻に給湯熱源から自動的に給湯して浴槽の湯張りを行う自動湯張り実行部とを有することを特徴とする請求項３記載の学習機能付き給湯装置。
【請求項６】
発電装置の排熱を利用して貯湯槽に蓄積した湯を給湯先に給湯するコジェネレーション給湯熱源装置と、通水の水を加熱して作成した湯を給湯先に供給する機能を備えた補助給湯熱源装置とが併設されており、コジェネレーション給湯熱源装置の稼働状況の蓄熱量検出に関するモニタ情報に基づき貯湯槽内の湯の蓄熱量に対応する値を求める蓄熱量検出部と、該蓄熱量検出部により検出した値と予め与えられた給湯熱源切替え制御情報とに基づいて、前記コジェネレーション給湯熱源装置の貯湯槽を給湯熱源とする給湯動作と前記補助給湯熱源装置を給湯熱源とする給湯動作の制御を行う制御装置を有することを特徴とする請求項１乃至請求項５のいずれか一つに記載の学習機能付き給湯装置。
【請求項７】
コジェネレーション給湯熱源装置の貯湯槽は、該貯湯槽内に給水を導入する給水路と貯湯槽の湯を送水する給湯路を備え、貯湯槽と発電装置との間には該発電装置の排熱または前記発電装置の排熱吸収流体の熱を利用して貯湯槽内の水を加熱して湯にする手段が配備され、該手段によって形成された湯を貯湯槽に蓄積し、この貯湯槽の湯を前記給湯路を通して給湯先に供給する構成と成していることを特徴とする請求項６記載の学習機能付き給湯装置。
【請求項８】
コジェネレーション給湯熱源装置の貯湯槽から送水される給湯の通路は補助給湯熱源装置の給水導入口に連通され、前記貯湯槽の湯を熱源として給湯を行うときは、貯湯槽の湯を非加熱駆動状態の補助給湯熱源装置を経由して給湯先へ給湯する構成と成したことを特徴とする請求項６又は請求項７記載の学習機能付き給湯装置。
【請求項９】
発電装置は水素と酸素を反応させて電気を発生する燃料電池とした請求項６乃至請求項８のいずれか１つに記載の学習機能付き給湯装置。
【発明の詳細な説明】
【技術分野】
【０００１】
本発明は、例えば給湯の流量や浴槽の水位を検出して利用者情報を学習し、学習データを利用した運転制御を行う学習機能付き給湯装置に関するものである。
【背景技術】
【０００２】
一般に、家庭等で利用される給湯装置は、例えば家族の入浴にあわせた夕方の時間帯には風呂の給湯に伴って給湯使用量が多くなり、また、家族が就寝した後の給湯使用量は殆ど無いといったように、給湯装置の１日の利用パターンがほぼ一定である。そこで、例えば１日といった設定周期の、給湯装置の運転制御を行う際に、この学習記憶データを利用するタイプの学習機能付き給湯装置が用いられている（例えば、特許文献１参照。）。
【０００３】
【特許文献１】特公平２−６９７９号
【発明の開示】
【発明が解決しようとする課題】
【０００４】
しかしながら、例えば両親と子供との３人家族の家に、急に、子供の祖父母が泊まりに来るといったことがあると、この特異日には、給湯装置の利用パターンが通常の利用パターンや選択した利用パターンと異なる場合が多く、上記のような学習機能付きの給湯装置において、このような利用パターンを含めて学習してしまうと、給湯装置は的確な学習が行えず、最適な運転制御が行えないといった問題があった。
【０００５】
本発明は、上記課題を解決するために成されたものであり、その目的は、給湯装置の利用パターンが異なる場合が不定期に生じても、快適に使用できる学習機能付き給湯装置を提供することにある。
【課題を解決するための手段】
【０００６】
上記目的を達成するために、本発明は次のような構成をもって課題を解決する
ための手段としている。すなわち、第１の発明は、給湯熱源と、該給湯熱源から給湯される湯を給湯先に導く給湯の通路とを備え、１日の整数倍（１以上の整数倍）を周期とする設定周期ごとの時間軸上の各時刻に対する給湯使用量のデータを流量センサから得られる給湯流量の情報と時計機構から得られる時刻情報とに基づいて検出する給湯使用量データ検出部と、該給湯使用量データ検出部により検出した検出データを蓄積して該蓄積データに基づき前記設定周期ごとの時間軸上の時刻と給湯使用量との関係を関係データとして学習記憶する給湯使用量関係データ学習記憶部とを有する学習機能付き給湯装置において、前記学習記憶のための給湯使用量データの蓄積を阻止する給湯使用量データ蓄積阻止操作部を有し、該給湯使用量データ蓄積阻止操作部の操作が行われたときには、該操作に対応して設定されるデータ非蓄積期間は前記学習記憶のためのデータの蓄積を行わない構成をもって課題を解決する手段としている。
【０００７】
また、第２の発明は、給湯熱源と、該給湯熱源から給湯される湯を給湯先に導く給湯の通路とを備え、１日の整数倍（１以上の整数倍）を周期とする設定周期ごとの時間軸上の各時刻に対する給湯使用量のデータを流量センサから得られる給湯流量の情報と時計機構から得られる時刻情報とに基づいて検出する給湯使用量データ検出部と、該給湯使用量データ検出部により検出した検出データを蓄積して該蓄積データに基づき前記設定周期ごとの時間軸上の時刻と給湯使用量との関係を関係データとして学習記憶する給湯使用量関係データ学習記憶部とを有する学習機能付き給湯装置において、前記給湯使用量関係データ学習記憶部は、前記給湯使用量データ検出部により検出した前記設定周期ごとの時間軸上の各時刻に対する給湯使用量の検出データが予め定められた許容範囲を越えて前記蓄積データと異なる場合には、その検出データを用いない構成をもって課題を解決する手段としている。
【０００８】
さらに、第３の発明は、上記第２の発明の構成に加え、前記給湯使用量関係データ学習記憶部は、給湯使用量データ検出部により検出した設定周期ごとの時間軸上の各時刻に対する給湯使用量の検出データが予め定められた許容範囲を越えて蓄積データと異なる場合に、この検出データを特異の周期における時間軸上の時刻と給湯使用量との関係データとして特異データ格納部に格納する構成をもって課題を解決する手段としている。
【０００９】
さらに、第４の発明は、上記第１または第２または第３の発明の構成に加え、前記給湯熱源から浴槽への給湯通路に流量センサが設けられ、該流量センサから得られる給湯流量の情報と時計機構から得られる時刻情報とに基づいて設定周期ごとの時間軸上の各時刻に対する給湯使用量のデータが給湯使用量データ検出部により検出され、該検出データを給湯使用量関係データ学習記憶部が蓄積して設定周期ごとの時間軸上の時刻と給湯使用量との関係データを学習記憶する構成と成し、前記給湯使用量関係データ学習記憶部が学習記憶した関係データと浴槽の容量値とに基づいて前記設定周期の時間軸上の浴槽の湯張り開始時刻を推定検出する湯張り開始時刻検出部と、時計機構から得られる時刻情報を取り込んで前記湯張り開始時刻検出部により求めた湯張り開始時刻に給湯熱源から自動的に給湯して浴槽の湯張りを行う自動湯張り実行部とを有する構成をもって課題を解決する手段としている。
【００１０】
さらに、第５の発明は、上記第３の発明の構成に加え、前記給湯熱源から浴槽への給湯通路に流量センサが設けられ、該流量センサから得られる給湯流量の情報と時計機構から得られる時刻情報とに基づいて設定周期ごとの時間軸上の各時刻に対する給湯使用量のデータが給湯使用量データ検出部により検出され、該検出データを給湯使用量関係データ学習記憶部が蓄積して設定周期ごとの時間軸上の時刻と給湯使用量との関係データを学習記憶する構成と成し、前記給湯使用量関係データ学習記憶部が学習記憶した関係データと前記浴槽の容量値とに基づいて、前記設定周期の時間軸上の浴槽の湯張り開始時刻を推定検出して該湯張り開始時刻を通常時湯張り開始時刻として決定すると共に、特異データ格納部に格納した特異の周期における時間軸上の時刻と給湯使用量との関係データと前記浴槽の容量値とに基づいて、特異の周期の時間軸上の浴槽の湯張り開始時刻を推定検出して該湯張り開始時刻を特異時湯張り開始時刻として決定する湯張り開始時刻検出部と、時計機構から得られる時刻情報を取り込み、特異の周期の運転指示を行う特異運転指示操作部による操作時には前記特異時湯張り開始時刻に給湯熱源から自動的に給湯して浴槽の湯張りを行い、前記特異運転指示操作部による操作が行われない時には前記通常時湯張り開始時刻に給湯熱源から自動的に給湯して浴槽の湯張りを行う自動湯張り実行部とを有する構成をもって課題を解決する手段としている。
【００１１】
さらに、第６の発明は、上記第１乃至第５のいずれか一つの発明の構成に加え、発電装置の排熱を利用して貯湯槽に蓄積した湯を給湯先に給湯するコジェネレーション給湯熱源装置と、通水の水を加熱して作成した湯を給湯先に供給する機能を備えた補助給湯熱源装置とが併設されており、コジェネレーション給湯熱源装置の稼働状況の蓄熱量検出に関するモニタ情報に基づき貯湯槽内の湯の蓄熱量に対応する値を求める蓄熱量検出部と、該蓄熱量検出部により検出した値と予め与えられた給湯熱源切替え制御情報とに基づいて、前記コジェネレーション給湯熱源装置の貯湯槽を給湯熱源とする給湯動作と前記補助給湯熱源装置を給湯熱源とする給湯動作の制御を行う制御装置を有する構成をもって課題を解決する手段としている。
【００１２】
さらに、第７の発明は、上記第６の発明の構成に加え、前記コジェネレーション給湯熱源装置の貯湯槽は、該貯湯槽内に給水を導入する給水路と貯湯槽の湯を送水する給湯路を備え、貯湯槽と発電装置との間には該発電装置の排熱または前記発電装置の排熱吸収流体の熱を利用して貯湯槽内の水を加熱して湯にする手段が配備され、該手段によって形成された湯を貯湯槽に蓄積し、この貯湯槽の湯を前記給湯路を通して給湯先に供給する構成と成している構成をもって課題を解決する手段としている。
【００１３】
さらに、第８の発明は、上記第６または第７の発明の構成に加え、前記コジェネレーション給湯熱源装置の貯湯槽から送水される給湯の通路は補助給湯熱源装置の給水導入口に連通され、前記貯湯槽の湯を熱源として給湯を行うときは、貯湯槽の湯を非加熱駆動状態の補助給湯熱源装置を経由して給湯先へ給湯する構成と成したことを特徴としている。
【００１４】
さらに、第９の発明は、上記第６乃至第８のいずれか一つの発明の構成に加え、前記発電装置は水素と酸素を反応させて電気を発生する燃料電池とした構成をもって課題を解決する手段としている。
【発明の効果】
【００１５】
本発明によれば、給湯使用量関係データ学習記憶部は、給湯使用量データ検出部により検出した検出データを蓄積して、該蓄積データに基づき設定周期ごとの時間軸上の時刻と給湯使用量との関係を関係データとして学習記憶するが、給湯使用量データ蓄積阻止操作部を有する構成においては、該給湯使用量データ蓄積阻止操作部の操作が行われたときには、該操作に対応して設定されるデータ非蓄積期間は前記学習記憶のための給湯使用量検出データの蓄積を行わない。
【００１６】
したがって、この構成の発明によれば、給湯装置の利用が通常と異なる場合に、前記給湯使用量データ蓄積阻止操作部を操作すれば、給湯使用量関係データ学習記憶部による学習のための給湯使用量検出データの蓄積が行われないので、通常と異なる場合のデータを蓄積して学習記憶することはなく、通常時の使用に適した前記関係データを学習記憶することができる。
【００１７】
また、本発明において、前記給湯使用量関係データ学習記憶部は、前記給湯使用量データ検出部により検出した前記設定周期ごとの時間軸上の各時刻に対する給湯使用量の検出データが予め定められた許容範囲を越えて前記蓄積データと異なる場合には、その検出データを用いない構成においては、利用者が通常と異なる利用をした場合には、給湯使用量関係データ学習記憶部が、その状態を給湯使用量データ検出部の検出データから判断し、この検出データを用いないようにするので、通常時の使用に適した前記関係データを学習記憶することができる。
【００１８】
また、この発明において、前記給湯使用量関係データ学習記憶部は、給湯使用量データ検出部により検出した設定周期ごとの時間軸上の各時刻に対する給湯使用量の検出データが予め定められた許容範囲を越えて蓄積データと異なる場合に、この検出データを特異の周期における時間軸上の時刻と給湯使用量との関係データとして特異データ格納部に格納する構成によれば、後に、同様な条件の特異の周期が訪れたときに、特異データ格納部に格納したデータを利用することができる。
【００１９】
さらに、本発明において、給湯熱源から浴槽への給湯通路に流量センサが設けられ、該流量センサから得られる給湯流量の情報を利用して給湯使用量データ検出部が検出した検出データを、給湯使用量関係データ学習記憶部が蓄積し、上記関係データを得、この関係データと前記浴槽の容量値とに基づいて推定検出される設定周期の時間軸上の湯張り開始時刻に給湯熱源から自動的に給湯して浴槽の湯張りを行う構成によれば、利用者に適した時刻に自動的に湯張りを行うことができ、非常に利用しやすい給湯装置を実現できる。
【００２０】
さらに、本発明において、設定周期の時間軸上の湯張り開始時刻の推定検出を上記と同様に行ってこの時刻を通常時湯張り開始時刻として決定すると共に、特異の周期の時間軸上の浴槽の湯張り開始時刻を求めて該湯張り開始時刻を特異時湯張り開始時刻として決定し、特異の周期の運転指示が行われたときには、特異時湯張り開始時刻に給湯熱源から自動的に給湯して浴槽の湯張りを行い、特異の周期の運転指示が行われない時には通常時湯張り開始時刻に給湯熱源から自動的に給湯して浴槽の湯張りを行う構成によれば、通常時にも、また、特異の周期が再度訪れたときにも、その利用状況に適した時刻に自動的に湯張りを行うことができ、より一層利用しやすい給湯装置を実現できる。
【００２１】
さらに、本発明において、発電装置の排熱を利用して貯湯槽に蓄積した湯を浴槽を含む１つ以上の給湯先に給湯するコジェネレーション給湯熱源装置と、通水の水を加熱して作成した湯を浴槽を含む１つ以上の給湯先に供給する機能を備えた補助給湯熱源装置とを併設して、これらを給湯熱源とし、制御装置によって、前記コジェネレーション給湯熱源装置の貯湯槽を給湯熱源とする給湯動作と前記補助給湯熱源装置を給湯熱源とする給湯動作の制御を行う構成によれば、コジェネレーション給湯熱源装置を給湯熱源とする給湯動作を行えることで省エネルギー化が可能な給湯装置を実現できる。
【００２２】
さらに、本発明において、コジェネレーション給湯熱源装置と補助給湯熱源装置を有して、コジェネレーション給湯熱源装置の貯湯槽と発電装置との間に配備された手段によって形成された湯を貯湯槽に蓄積し、この貯湯槽の湯を、貯湯槽に備えられた給湯路を通して給湯先に供給する構成によれば、コジェネレーション給湯熱源装置による湯の蓄積と、貯湯槽からの湯の給湯とを効率的に行うことができる。
【００２３】
さらに、本発明において、コジェネレーション給湯熱源装置の貯湯槽から送水される給湯の通路は補助給湯熱源装置の給水導入口に連通され、前記貯湯槽の湯を熱源として給湯を行うときは、貯湯槽の湯を非加熱駆動状態の補助給湯熱源装置を経由して給湯先へ給湯する構成によれば、コジェネレーション給湯熱源装置の貯湯槽から送水される給湯の通路と補助給湯熱源装置の給水導入口とを連通させることによりシステム構成を簡単にでき、効率的に給湯を行うことができる。
【００２４】
さらに、本発明において、コジェネレーション給湯熱源装置の発電装置は水素と酸素を反応させて電気を発生する燃料電池とした構成によれば、発電装置を燃料電池とすることによって、環境に悪影響を与える物質を排出することなく、コジェネレーション給湯熱源装置を運転できるので、環境に優しい複合的な給湯装置を構築することができる。
【発明を実施するための最良の形態】
【００２５】
以下、本発明の実施の形態を、図面を参照して説明する。
【００２６】
図２には、本発明に係る給湯装置の一実施形態例のシステム構成が示されており、図１には、その制御構成が示されている。図２に示すように、本実施形態例は、発電装置１の排熱を利用して貯湯槽２に蓄積した湯を給湯先に給湯するコジェネレーション給湯熱源装置３と、通水の水を加熱して作成した湯を給湯先に供給する補助給湯熱源装置４とを併設した複合的な給湯装置であり、後述する学習機能を有している。
【００２７】
本実施形態例で適用している発電装置１は、例えば固体高分子型燃料電池（ＰＥＦＣ）等の燃料電池により形成されており、水の電気分解の逆反応で、都市ガス等の燃料から取り出された水素２Ｈ＋と空気中の酸素（１／２）Ｏ２とを反応させて発電する装置である。
【００２８】
コジェネレーション給湯熱源装置３を有するシステムは、省エネルギー効果を奏することが可能なシステムとして注目されており、本実施形態例では、特に、発電装置１を燃料電池により形成することによって、環境に悪影響を与える物質を排出することなく、コジェネレーション給湯熱源装置３を運転でき、環境に優しい給湯装置を構築することができる。
【００２９】
貯湯槽２は、貯湯槽２内に給水を導入する給水路１１と貯湯槽２の湯を送水する給湯路１２を備えており、給湯路１２には湯水温検出センサ１００が設けられている。貯湯槽２と発電装置１との間には、冷却水導入通路１３と排熱湯導入通路１４とが配備されており、冷却水導入通路１３は貯湯槽２内の水を発電装置１の冷却水として発電装置１側に導入する。この水を発電装置１の発電時に生じる排熱によって加熱して、例えば６０℃といった温度の湯とし、排熱湯導入通路１４を介して貯湯槽２に蓄積する。つまり、冷却水導入通路１３と排熱湯導入通路１４は、貯湯槽２内の水を発電装置１の排熱により加熱して湯にする手段を形成している。
【００３０】
したがって、深夜電力を利用する場合と異なり、給湯使用直前や使用中でも湯を作ることが可能だが、多量に湯が必要な浴槽への注湯に先立ち、貯湯槽２等への湯のたくわえが必要となる。また、それと共に、例えば１日といった設定時間軸上の各時刻に対する給湯利用パターン学習機能が必要になる。
【００３１】
本実施形態例において、貯湯槽２の容量は例えば２００Ｌであり、貯湯槽２には、互いに間隔を介して貯湯槽内湯水温検出センサ１０１〜１１１が設けられている。貯湯槽２の下方側には、貯湯槽２内の水を排水する排水通路１５が設けられ、該排水通路１５には排水弁５２が設けられている。貯湯槽２の上方側には、圧力逃がし通路１６が設けられており、圧力逃がし通路１６には、過圧逃がし弁５０が設けられている。貯湯槽２内は、通常、湯または水によって満たされている。
【００３２】
本実施形態例で適用されているコジェネレーション給湯熱源装置３において、発電装置１が作動すると、貯湯槽２の下部側に貯められている水が冷却水導入通路１３を通して発電装置１に導入され、発電装置１の発電時の排熱によって暖められて湯とされ、この湯が排熱湯導入通路１４を通って貯湯槽２の上方側から貯湯槽２内に導入され、貯湯槽２の上部側には湯が蓄積されている。なお、図６には、湯と水との境界領域を分かりやすくするために、湯が充填されている領域を斜線で示した図が示されている。
【００３３】
上記湯の蓄積動作が繰り返されると、貯湯槽２の下部側の水が発電装置１の排熱によって湯にされて貯湯槽２の上部側に導入されるので、図６の破線Ａで示す、貯湯槽２内の水と湯との境界線が貯湯槽２の下部側に移動していく。なお、貯湯槽２内が全て湯で満たされると、発電装置１への冷却水導入を行うことができないので、発電装置１による発電は行えない。
【００３４】
コジェネレーション給湯熱源装置３を有するシステムは、発電と排熱利用の両方を行うことで、省エネルギー効果を奏することができるので、排熱が利用されない状況、つまり、貯湯槽２内が湯で満たされると発電を止める。
【００３５】
また、貯湯槽２の湯が給湯路１２を通して適宜の給湯場所に送水されると、この送水によって減少した湯量だけ、給水路１１から貯湯槽２内に給水が行われるので、この場合、図６の破線Ａで示す、貯湯槽２内の水と湯との境界線は貯湯槽２の上部側に移動していく。
【００３６】
図２に示すように、本実施形態例では、コジェネレーション給湯熱源装置３と補助給湯熱源装置４とは、湯水混合ユニット１０と接続通路４５を介して接続されており、コジェネレーション給湯熱源装置３の給湯路１２の出口側には、給湯路１２から送水される湯の流量を検出する流量センサ７０が設けられている。また、湯水混合ユニット１０には給水路１１の分岐通路１１ｂが接続されている。
【００３７】
湯水混合ユニット１０は、前記給湯路１２の開閉を行う湯水開閉弁５４と、給湯路１２から送水される湯の流量を弁開度によって可変制御する湯水比例弁５５と、給水路１１から給水される水の流量を弁開度によって可変制御する湯水比例弁５６と、接続通路４５の入り口側に設けられた流量センサ７１とを有している。湯水開閉弁５４は電磁弁により、湯水比例弁５５，５６はギアモータにより形成されている。給湯路１２の出口側には湯水温検出センサ１２０が設けられ、接続通路４５の入口側には、湯水温検出センサ１１８が設けられている。
【００３８】
補助給湯熱源装置４は、通水の水を加熱して作成した湯を浴槽１２６を含む１つ以上の給湯先に供給する機能を備えた装置であり、給湯器５（５ａ，５ｂ）を有して形成されている。給湯器５（５ａ，５ｂ）は、それぞれ燃焼室２３，２４を有している。給湯器５ａの燃焼室２３内には、バーナ６と、バーナ６の燃焼の給排気を行なう燃焼ファン８と、バーナ６の燃焼により加熱される給湯熱交換器１９とが設けられている。また、給湯器５ｂの燃焼室２４内には、バーナ７と、バーナ７の燃焼の給排気を行なう燃焼ファン９と、バーナ７の燃焼により加熱される追い焚き熱交換器２５とが設けられている。
【００３９】
バーナ６，７には、それぞれのバーナ６，７に燃料を供給するガス管２１，２２が接続されており、これらのガス管２１，２２は、ガス管２０から分岐形成されている。ガス管２０には、ガス開閉弁８０が介設されており、ガス管２１には、ガス比例弁８６とガス開閉弁８１，８２，８３が、ガス管２２には、ガス比例弁８７とガス開閉弁８４，８５がそれぞれ介設されている。これらの弁８０〜８７はいずれも電磁弁により形成されており、ガス開閉弁８０〜８５は、対応するバーナ６，７への燃料供給・停止を制御し、ガス比例弁８６，８７は、対応するバーナ６，７への供給燃料量を弁開度でもって制御する。
【００４０】
前記給湯熱交換器１９の入口側には給水導入通路１８が設けられており、この給水導入通路１８は前記接続通路４５に接続されている。給水導入通路１８の入り口側には、給水導入通路１８を流れる湯水の量を検出する流量センサ７３が設けられている。
【００４１】
給湯熱交換器１９の出口側には給湯通路２６が設けられており、給湯通路２６の先端側は、分岐通路９０と湯水経路切替弁５８を介して前記給水導入通路１８に接続されている。給湯通路２６には、分岐通路９０の分岐部よりも下流側に出湯湯温検出センサ１１３が設けられ、給湯熱交換器１９側に出湯湯温検出センサ１１４が設けられている。なお、前記給湯熱交換器１９の途中部には過熱防止装置（サーモスタット）１１５が設けられている。
【００４２】
前記追い焚き熱交換器２５の一端側には往管９１の一端側が接続され、往管９１の他端側は循環金具９７を介して浴槽１２６に連通接続されている。また、追い焚き熱交換器２５の他端側には通路９３が接続され、通路９３の他端側は循環ポンプ９４の吐出口に接続されている。循環ポンプ９４の吸入口には戻り管９６の一端側が接続され、戻り管９６の他端側は前記循環金具９７を介して浴槽１２６に連通接続されている。戻り管９６には浴槽湯水温検出センサ１２７が設けられている。
【００４３】
往管９１と追い焚き熱交換器２５と通路９３と循環ポンプ９４と戻り管９６とによって、浴槽１２６の湯水を循環ポンプ９４の駆動により循環させて浴槽内の湯水を追い焚きするための追い焚き循環通路９９が形成されている。
【００４４】
また、前記給湯通路２６には、分岐通路９０の形成部および出湯湯温検出センサ１１３の配設部よりも下流側に、給湯熱源から浴槽１２６への給湯の通路としての風呂用注湯導入通路９５が接続され、風呂用注湯導入通路９５は、前記通路９３に接続されている。風呂用注湯導入通路９５には、湯水開閉弁５９、逆止弁６２、流量センサ７４、水位センサ１２５が設けられている。水位センサ１２５は、水圧により浴槽１２６の水位を検出する。
【００４５】
前記給湯熱交換器１９から給湯通路２６と風呂用注湯導入通路９５、通路９３、追い焚き熱交換器２５、往管９１を順に通って浴槽１２６に至るまでの通路によって湯張り通路が構成されている。
【００４６】
なお、図２においては、給湯先として、台所等の給湯場所と浴槽１２６を示しているが、浴室のシャワー等の適宜の給湯先に湯を供給する給湯装置を構成できる。
【００４７】
本実施形態例のシステム構成は以上のように構成されており、次に、図１に示す制御装置４４の制御構成について説明する。制御装置４４は、蓄熱量検出部３５、選択制御部３６、燃焼制御部４２、時計機構４１、給湯使用量データ検出部３７、給湯使用量関係データ学習記憶部３８、特異データ格納部４３、湯張り開始時刻検出部３９、自動湯張り実行部４０を有している。また、本実施形態例では、制御装置４４に、特異運転指示操作部４７が接続されている。
【００４８】
蓄熱量検出部３５は、コジェネレーション給湯熱源装置３の稼働状況の蓄熱量検出に関するモニタ情報に基づき、貯湯槽２内の湯の蓄熱量に対応する値を求めるものである。前記モニタ情報は、例えば貯湯槽内湯水温検出センサ１０１〜１１１による検出温度の情報や、発電装置１の稼働時間の情報等である。発電装置１の稼働時間は、例えば発電装置１のオンオフ情報と時計機構４１から得られる時間情報とにより得ることができる。なお、排熱湯導入通路１４に流量センサを設ければ、この流量センサの情報から発電装置１の稼働時間の情報を得ることもできる。
【００４９】
ここで、貯湯槽２内の湯の蓄熱量に対応する値の求め方の一例を示す。蓄熱量検出部３５は、例えば前記モニタ情報として、貯湯槽内湯水温検出センサ１０１〜１１１による検出温度の情報を取り込み、貯湯槽内湯水温検出センサ１０５による検出温度が約６０℃であり、貯湯槽内湯水温検出センサ１０６による検出温度が約２０℃であるとすると、図６の破線Ａで示したような、貯湯槽２内の水と湯との境界線が貯湯槽内湯水温検出センサ１０５と貯湯槽内湯水温検出センサ１０６との間にあり、貯湯槽２内には、約６０℃の湯が約８０Ｌ蓄積されていると判断する。
【００５０】
また、蓄熱量検出部３５に、発電装置１の稼働による単位時間ごとの湯の蓄積量を予め与えておき、この量が、例えば毎分２Ｌだとすると、時計機構４１から得られる発電装置１の時間情報が３０分経過したときに、蓄熱量検出部３５は、貯湯槽２内には、約６０℃の湯が６０Ｌ蓄積されていると判断する。このように、蓄熱量検出部３５は、時計機構４１から得られる発電装置１の稼働時間情報に基づき、貯湯槽２内の湯量を時々刻々と検出することができる。
【００５１】
さらに、蓄熱量検出部３５は、貯湯槽２内の湯の使用量を、例えば流量センサ７０の検出データから算出し、この値を貯湯槽２内に蓄積されている湯量から差し引くことにより、貯湯槽２内に残っている湯量を時々刻々と検出することができるし、湯の蓄積時からの経過時間によって貯湯槽２内に蓄積されている湯の温度を推定することができる。
【００５２】
選択制御部３６は、給湯熱源の選択制御部であり、例えば前記蓄熱量検出部３５により求められた蓄熱量に対応する値が給湯熱源選択用に予め定めた下部閾値以下に低下したときは、給湯熱源を前記貯湯槽２から補助給湯熱源装置４へ切替えて給湯を行い、蓄熱量検出部３５により求められた貯湯槽２内の湯の蓄熱量に対応する値が給湯熱源選択用に予め定めた上部閾値以上に上昇したときは、給湯熱源を前記補助給湯熱源装置４からコジェネレーション給湯熱源装置３の貯湯槽２へ切替えて給湯を行う。なお、選択制御部３６による給湯熱源の選択制御は、特に限定されるものでなく、適宜設定されるものである。
【００５３】
本実施形態例においては、コジェネレーション給湯熱源装置３の貯湯槽２から送水される給湯の通路（給湯路１２）は補助給湯熱源装置４の給水導入口に連通されており、前記貯湯槽２の湯を熱源として貯湯槽２内から設定温度以上の湯を送水する時は、貯湯槽２の湯を非加熱駆動状態の補助給湯熱源装置４を経由して給湯先へ給湯する構成と成している。
【００５４】
つまり、貯湯槽２の湯を熱源として給湯を行うときは、選択制御部３６は、湯水開閉弁５４を開き、湯水比例弁５５、５６の開弁量を適宜調節して、貯湯槽２内の湯を、給水通路１１からその分岐通路１１ｂを介して給水される水と混合して設定温度の湯として非加熱駆動状態の補助給湯熱源装置４に送る。そして、例えば補助給湯熱源装置４に導入された設定温度の湯を、湯水経路切替弁５８を切替えて分岐通路９０を通して台所等の適宜の給湯先へ給湯したり、湯水開閉弁５９を開き、風呂用注湯導入通路９５と前記湯張り通路を通して湯張りを行ったりする。
【００５５】
また、選択制御部３６は、給湯熱源を補助給湯熱源装置４に切り替えたときは、例えば湯水開閉弁５４を閉じ、給水路１１から分岐通路１１ｂを介して湯水混合ユニット１０に導入される水を、接続通路４５を介して給湯器５ａに導入すると共に、給湯器５ａの燃焼制御部４２に指令を与え、給湯器５ａを稼働させて補助給湯熱源装置４による給湯を行う。
【００５６】
燃焼制御部４２は、前記選択制御部３６が補助給湯熱源装置４からの給湯動作を選択したときには、流量センサ７３の検出流量を参照しながら、ガス開閉弁８１，８２，８３の少なくとも一つを開き、ガス比例弁８６の開弁量を調節してバーナ６に供給されるガス量を調節すると共に、燃焼ファン８の風量調節を行い、給湯熱交換器１９を通って出湯される湯が設定温度の湯となるようにバーナ６の燃焼制御を行う。
【００５７】
給湯使用量データ検出部３７は、１日の整数倍（１以上の整数倍）を周期とする設定周期ごとの時間軸上の各時刻に対する給湯使用量のデータを、流量センサ７３，７４からそれぞれ得られる給湯流量の情報と時計機構４１から得られる時刻情報とに基づいて検出する。流量センサ７３から得られる給湯流量の情報は、給湯装置全体で使用される給湯流量の情報であり、流量センサ７４から得られる給湯流量の情報は、浴槽１２６に給湯される給湯流量の情報である。給湯使用量データ検出部３７は、検出データを給湯使用量関係データ学習記憶部３８に加える。
【００５８】
給湯使用量関係データ学習記憶部３８は、給湯使用量データ検出部３７により検出した検出データを蓄積して、該蓄積データに基づき、前記設定周期ごとの時間軸上の時刻と給湯使用量との関係を関係データとして学習記憶する。なお、図３（ａ）には、流量センサ７４から得られる給湯流量の情報と時計機構４１から得られる時刻情報とに基づいて検出した、前記設定周期（ここでは１日）ごとの時間軸上の各時刻に対する給湯使用量のデータの蓄積例が示されている。
【００５９】
本実施形態例では、上記のように、給湯装置全体で使用される給湯流量の情報を流量センサ７３から得られる給湯流量の情報から得て、かつ、浴槽１２６に給湯される給湯流量の情報を流量センサ７４から得られる給湯流量の情報から得ることができるので、給湯使用量関係データ学習記憶部３８は、給湯使用量データ検出部３７により検出した検出データの蓄積データに基づき、前記設定周期ごとの時間軸上の時刻と給湯装置全体の給湯使用量との関係を関係データとして学習記憶すると共に、前記設定周期ごとの時間軸上の時刻と浴槽１２６への給湯使用量との関係を関係データとして学習記憶する。
【００６０】
また、本実施形態例において、給湯使用量関係データ学習記憶部３８は、前記給湯使用量データ検出部３７により検出した前記設定周期ごとの時間軸上の各時刻に対する給湯使用量の検出データが、予め定められた許容範囲を越えて前記蓄積データと異なる場合には、その検出データを用いない。そして、この検出データを、特異の周期における時間軸上の時刻と給湯使用量との関係データとして、特異データ格納部４３に格納する。
【００６１】
なお、図３（ｂ）には、特異の周期における時間軸上の時刻と給湯使用量との関係データの例が示されており、この関係データは、流量センサ７４から得られる給湯流量の情報と時計機構４１から得られる時刻情報とに基づいて検出した前記設定周期ごとの時間軸上の各時刻に対する給湯使用量のデータのうち、図３（ａ）に示した複数の蓄積データと許容範囲を越えて異なるデータである。この例は、図３（ａ）に示したデータに比べて１時間程度前に給湯使用量のピークがあり、その後の給湯使用量も多い。
【００６２】
湯張り開始時刻検出部３９は、前記給湯使用量関係データ学習記憶部３８が学習記憶した関係データのうち、前記設定周期ごとの時間軸上の時刻と浴槽１２６への給湯使用量との関係を示す関係データと浴槽１２６の容量値（例えば２３０リットル）とに基づいて、前記設定周期の時間軸上の浴槽１２６の湯張り開始時刻を推定検出し、該湯張り開始時刻を通常時湯張り開始時刻として決定する。湯張り開始時刻検出部３９は、例えば、上記関係データを参照し、浴槽１２６の容量の例えば５分の４の給湯量が一度に使用されているところが、浴槽１２６への注湯を行う時湯張り開始時刻であると判断することができる。
【００６３】
このような判断部で判断することで、補助給湯熱源装置４からの情報なしに制御できるので、コジェネレーション給湯熱源装置３を個別に設けることが容易となる。
【００６４】
また、湯張り開始時刻検出部３９は、前記特異データ格納部４３に格納した特異の周期における時間軸上の時刻と浴槽１２６への給湯使用量との関係データと、浴槽１２６の容量値とに基づいて、特異の周期の時間軸上の浴槽の湯張り開始時刻を上記と同様にして推定検出し、該湯張り開始時刻を特異時湯張り開始時刻として決定する。そして、湯張り時刻検出部３９は、前記通常時湯張り開始時刻と特異時湯張り開始時刻とを自動湯張り実行部４０に加える。
【００６５】
特異運転指示操作部４７は、特異の周期の運転指示を行うものであり、例えばリモコンに設けられたボタンやレバーを有している。
【００６６】
自動湯張り実行部４０は、時計機構４１から得られる時刻情報を取り込んで、特異運転指示操作部４７による操作時（特異の周期の運転指示がある時）には前記特異時湯張り開始時刻に給湯熱源から自動的に給湯して浴槽の湯張りを行う。また、自動湯張り実行部４０は、前記特異運転指示操作部４７による操作が行われない時（特異の周期の運転指示がない時）には前記通常時湯張り開始時刻に給湯熱源から自動的に給湯して浴槽の湯張りを行う。
【００６７】
なお、本実施形態例は、コジェネレーション給湯熱源装置３と補助給湯熱源装置４とを備えた複合システムであり、自動湯張り実行部４０による浴槽１２６への給湯は、前記のような選択制御部３６の判断選択動作により選択した給湯熱源から行う。
【００６８】
本実施形態例は以上のように構成されており、選択制御部３６により選択された給湯熱源からの給湯や湯張りが行われ、また、この給湯情報が、給湯使用量関係データ学習記憶部３８によって学習記憶される。つまり、給湯使用量関係データ学習記憶部３８は、給湯使用量データ検出部３７により検出した検出データを蓄積して、該蓄積データに基づき設定周期ごとの時間軸上の時刻と給湯使用量との関係を関係データとして学習記憶する。
【００６９】
また、本実施形態例では、給湯使用量関係データ学習記憶部３８は、前記給湯使用量データ検出部３７により検出した前記設定周期ごとの時間軸上の各時刻に対する給湯使用量の検出データが、予め定められた許容範囲を越えて前記蓄積データと異なる場合には、その検出データを用いないので、利用者が通常と異なる利用をした場合に、つまり、例えば親子３人家族の家庭において、たまたま祖父母が泊まりに来たといった場合等には、そのときに検出される、設定周期ごとの時間軸上の各時刻に対する給湯使用量検出データを用いずに、通常時の使用に適した前記関係データを学習記憶することができる。
【００７０】
そして、本実施形態例では、上記のように学習記憶した、通常時の使用に適した前記関係データを利用して、以下のような運転を行うことができる。つまり、この関係データと浴槽１２６の容量値とに基づいて、湯張り開始時刻検出部３９が設定周期の時間軸上の湯張り開始時刻を推定検出し、この湯張り開始時刻に自動湯張り実行部４０が給湯熱源から自動的に給湯して浴槽１２６の湯張りを行うことができる。この結果、貯湯槽２内が全て湯に満たされていたとしても、湯が使用されて水に置き換わることで発電装置１による発電が行われ、省エネルギー効果が図れる。
【００７１】
また、本実施形態例では、給湯使用量関係データ学習記憶部３８は、上記のように、給湯使用量データ検出部３７により検出した設定周期ごとの時間軸上の各時刻に対する給湯使用量の検出データが予め定められた許容範囲を越えて蓄積データと異なる場合に、この検出データを特異の周期における時間軸上の時刻と給湯使用量との関係データとして特異データ格納部４３に格納するので、後に、同様な条件の特異の周期が訪れたときに、特異データ格納部４３に格納したデータを利用することができる。
【００７２】
つまり、前記湯張り開始時刻検出部３９は、特異データ格納部４３に格納した特異の周期における時間軸上の時刻と給湯使用量との関係データと前記浴槽１２６の容量値とに基づいて、特異の周期の時間軸上の浴槽の湯張り開始時刻を求めて該湯張り開始時刻を特異時湯張り開始時刻として決定し、特異運転指示操作部４７の操作が行われたときに、自動湯張り実行部４０が、特異時湯張り開始時刻に給湯熱源から自動的に給湯して浴槽１２６の湯張りを行うことができる。
【００７３】
そのため、本実施形態例では、特異の周期が、再度、訪れたときにも、その利用状況に適した時刻に自動的に湯張りを行うことができ、より一層利用しやすい給湯装置を実現できる。
【００７４】
さらに、本実施形態例は、コジェネレーション給湯熱源装置３を有する複合的な給湯装置であるので、コジェネレーション給湯熱源装置３を給湯熱源とする給湯動作を行うことで省エネルギー化が可能な給湯装置を実現できる。
【００７５】
また、本実施形態例は、コジェネレーション給湯熱源装置３の貯湯槽２から送水される給湯の通路（給湯路１２）が補助給湯熱源装置４の給水導入口に連通され、貯湯槽２の湯を熱源として給湯を行うときは、貯湯槽２の湯を非加熱駆動状態の補助給湯熱源装置４を経由して給湯先へ給湯するので、コジェネレーション給湯熱源装置３の貯湯槽２から送水される給湯の通路と補助給湯熱源装置４の給水導入口とを連通させることによりシステム構成を簡単にでき、効率的に給湯を行うことができる。
【００７６】
なお、本発明は上記実施形態例に限定されることはなく、様々な態様を採り得る。例えば、上記実施形態例では、給湯使用量関係データ学習記憶部３８は、前記給湯使用量データ検出部３７により検出した前記設定周期ごとの時間軸上の各時刻に対する給湯使用量の検出データが、予め定められた許容範囲を越えて前記蓄積データと異なる場合には、その検出データを用いないようにしたが、給湯使用量関係データ学習記憶部３８がこのような自動的な判断を行う代わりに、図１の破線に示すように、学習記憶のための給湯使用量検出データの蓄積を阻止する給湯使用量データ蓄積阻止操作部４８を設けてもよい。
【００７７】
この場合、例えば、リモコン等に、ボタン等の操作を行う給湯使用量データ蓄積阻止操作部４８を設け、給湯使用量データ蓄積阻止操作部４８の操作が行われたときには、該操作に対応して設定されるデータ非蓄積期間（例えば操作回数×設定周期）は、前記学習記憶のための給湯使用量検出データの蓄積を行わないようにすれば、給湯使用量データ蓄積阻止操作部４８の操作に応じ、上記実施形態例と同様に、給湯使用量関係データ学習記憶部３８によって、通常時の使用に適した前記関係データを学習記憶することができる。
【００７８】
したがって、この給湯使用量データ蓄積阻止操作部４８を設けた構成の発明においても、給湯使用量関係データ学習記憶部３８によって学習記憶した関係データに基づき、通常時に最適な運転を行うことができる。
【００７９】
なお、このように、給湯使用量データ蓄積阻止操作部４８を設ける構成において、通常時と異なる運転を行う場合は、給湯使用量関係データ学習記憶部３８により学習記憶した関係データに基づいた運転を行わないように、運転切替操作の操作部を設けることが好ましい。
【００８０】
さらに、上記実施形態例では、給湯使用量関係データ学習記憶部３８により学習記憶した関係データや特異データ格納部４３に格納した関係データに基づき、浴槽１２６への自動湯張りを行う給湯装置としたが、給湯使用量関係データ学習記憶部３８が学習記憶した関係データに基づき、自動湯張り以外の制御を行うようにしてもよい。
【００８１】
さらに、上記実施形態例では、設定周期を１日としたが、設定周期は１日とは限らず１週間としてもよく、１日×１以上の整数に適宜設定されるものである。
【００８２】
さらに、上記実施形態例では、コジェネレーション給湯熱源装置３の発電装置１は燃料電池としたが、発電装置１にはガスタービン発電装置やディーゼルエンジン発電装置等を適用することができ、発電システムの排熱を用いて貯湯槽２内への蓄熱を行ってもよいものであり、発電装置１の燃料や構成は特に限定されるものでなく、適宜設定されるものである。
【００８３】
また、上記実施形態例では、コジェネレーション給湯熱源装置３の貯湯槽２と発電装置１との間には発電装置１の排熱を利用して貯湯槽２内の水を加熱して湯にする手段を配備したが、図４（ａ）、（ｂ）に示すように、発電装置１の排熱吸収流体の熱を利用して貯湯槽２内の水を加熱して湯にする手段を配備して、該手段によって形成された湯を貯湯槽２に蓄積してもよい。
【００８４】
図４（ａ）に示す構成は、発電装置１の排熱吸収流体を循環させる循環管路６６を貯湯槽２内に通し、排熱吸収流体と貯湯槽２内の水との間で熱交換を行って、貯湯槽２内の水を湯にする。また、このとき、排熱吸収流体は、その熱を貯湯槽２内の水に与えることにより、冷却され、排熱吸収流体は冷却流体となって発電装置１に送られるものである。
【００８５】
また、図４（ｂ）に示す構成は、貯湯槽２と発電装置１との間に、例えば銅板等によって形成した熱交換部材６７を設け、発電装置１の排熱吸収流体を循環させる循環管路６６を熱交換部材６７に通し、また、熱交換部材６７には、貯湯槽２内の水を循環させる循環管路６８を設け、熱交換部材６７を介し、循環管路６６を通る排熱吸収流体と循環管路６８を通る水との間で熱交換させる。つまり、熱交換部材６７を介し、排熱吸収流体の熱を、循環管路６８を通る貯湯槽２内の水に与えて貯湯槽２内の水を湯にし、このとき、排熱吸収流体を冷却して冷却流体とするものである。
【００８６】
また、上記実施形態例では、給水路１１を、湯水混合ユニット１０を介して補助給湯熱源装置４の給水導入通路１８に接続したが、図５（ａ）に示すように、給水路１１を、弁６９を介して給湯通路２６側に接続してもよいし、図５（ｂ）に示すように、給水路１１を、弁６９を介して、給水導入通路１８と給湯通路２６の両方に接続してもよい。
【００８７】
さらに、上記実施形態例では、コジェネレーション給湯熱源装置３の貯湯槽２の給湯路１２を、湯水混合ユニット１０と接続通路４５を介して補助給湯熱源装置４の給水導入口に連通したが、本発明は、コジェネレーション給湯熱源装置３と補助給湯熱源装置４とを別個に設けて併設してもよい。
【００８８】
さらに、上記実施形態例では、給湯装置は、コジェネレーション給湯熱源装置３と補助給湯熱源装置４とを有する複合的な給湯装置としたが、コジェネレーション給湯熱源装置３を設けずに、ガスや石油等の燃料によって通水の水を加熱して作成した湯を、浴槽１２６を含む１つ以上の給湯先に給湯する給湯装置としてもよく、様々な態様の給湯装置とすることができる。
【００８９】
給湯単機器でも、浴槽１２６への給湯使用量と浴槽１２６への注湯開始時刻を特定できる機器がある。例えば、図７（ａ）に示すように、給湯単機器において、給湯熱交換器１４９と給湯先（この場合、台所と浴槽１２６）との間に電磁弁１５０が設けられ、リモコンで注湯流量を決めてからリモコンの“湯張り”スイッチを押すと、その後、一度、電磁弁１５０が閉となり、全ての給湯が止まってから電磁弁１５０が開いて湯張りを行い、湯張り終了後に電磁弁１５０が閉となってから、リモコンの“湯張り”スイッチを押すと、湯張りがオフとなって、電磁弁１５０が開き、通常の使用状態に戻る機器がある。
【００９０】
このような機器の場合、図８のステップＳ１で、リモコンの“湯張り”スイッチを押した後に、ステップＳ２で、流量センサにより流量０を確認するので、図７（ｂ）のｃ１に示すように、一度、給湯流量（給湯使用量）が０となり、その後、図７（ｂ）の領域Ｂに示すように、急激に給湯流量が大きくなる（図８のステップＳ３、ステップＳ４に対応）。
【００９１】
そして、湯張り終了後に、図８のステップＳ５で電磁弁が閉じて、図７（ｂ）のｃ２に示すように、再び給湯流量が０となり、その後、図８のステップＳ６、Ｓ７で“湯張り”スイッチオフが確実になった後は、ステップＳ８で電磁弁が開き、図７（ｂ）に示すように、台所等の湯の使用により、ある程度の（例えば５Ｌ程度）の流量となる。
【００９２】
したがって、図７（ｂ）に示す、給湯流量が０になるタイミング（ｃ１、ｃ２）によって“湯張り”スイッチのオンオフのタイミングを知ることができ、湯張り開始時刻を推定検出することができる。
【００９３】
また、上記のように、湯張りの開始時および湯張り終了後の電磁弁１５０の閉動作に伴い、給湯流量が０になるタイプの給湯装置以外でも、本発明を適用することができる。この場合、例えば、給湯使用量関係データ学習記憶部が学習記憶した関係データに基づき、給湯流量が例えば５Ｌ→大量→５Ｌといったように変化するタイミングから、湯張り開始時刻を推定検出することができる。
【図面の簡単な説明】
【００９４】
【図１】本発明に係る学習機能付き給湯装置の一実施形態例の制御構成をブロック図により示す要部構成図である。
【図２】本発明に係る学習機能付き給湯装置の一実施形態例のシステム構成を模式的に示す要部構成図である。
【図３】本発明に係る学習機能付き給湯装置の給湯使用量データ検出部が検出するデータ例を模式的に示すグラフである。
【図４】本発明に係る学習機能付き給湯装置の他の実施形態例に適用されるコジェネレーション給湯熱源装置の構成を模式的に示す要部説明図である。
【図５】本発明に係る学習機能付き給湯装置の他の実施形態例に適用される補助給湯熱源装置とコジェネレーション給湯熱源装置の給水路との接続構成を模式的に示す要部説明図である。
【図６】コジェネレーション給湯熱源装置の構成例とその動作を模式的に示す説明図である。
【図７】学習機能付き給湯装置の他のシステム構成例を示す説明図（ａ）と、この装置における湯張り時の給湯使用量の関係データ例を示すグラフ（ｂ）である。
【図８】図７に示した給湯装置における湯張り動作のフローチャートである。
【符号の説明】
【００９５】
１  発電装置
２  貯湯槽
３  コジェネレーション給湯熱源装置
４  補助給湯熱源装置
５  給湯器
３５  蓄熱量検出部
３６  選択制御部
３７  給湯使用量データ検出部
３８  給湯使用量関係データ学習記憶部
３９  湯張り開始時刻検出部
４０  自動湯張り実行部
４１  時計機構
４２  燃焼制御部
４３  特異データ格納部
４４  制御装置
４７  特異運転指示操作部
４８  給湯使用量関係データ蓄積阻止操作部
７０，７３，７４  流量センサ
１０１〜１１１  貯湯槽内湯水温検出センサ
１２６  浴槽
【図１】
2005241214.tif 000003
【図２】
2005241214.tif 000004
【図３】
2005241214.tif 000005
【図４】
2005241214.tif 000006
【図５】
2005241214.tif 000007
【図６】
2005241214.tif 000008
【図７】
2005241214.tif 000009
【図８】
2005241214.tif 000010